(57)【要約】【課題】【解決手段】花束、特にねじれた花束をアレンジするための装置であって、この装置は、花／枝の茎が挿入され得る格子開口部を各々に備えた上格子（３）と底格子（４）とを有する。上格子は、各々に互いに平行な２つの複数のバー（５）によって形成されている。これらの少なくとも1つのバーは、形成された花束を取出すために格子の構造を変えることができるように長手方向へと前後に動かされ得る。上格子と底格子とは、位置された花束の茎をねじるように互いに対して回転シャフトの垂直軸を中心に回転され得る。
2005508649.tif 000002
【特許請求の範囲】
【請求項１】
上格子開口部を備えた上格子と、
この上格子の垂直方向下方に距離を置いて位置され、底格子開口部を備えた底格子とを具備し、
前記上格子は、各々が第1のバー軸を備えた第１の複数の相互に平行なバーと、各々が第２のバー軸を備えた第２の複数の相互に平行なバーとを有し、
前記第１のバー軸と第２のバー軸とは互いに交差し、
第１の複数のバーは、第２のバー軸に交差する格子位置と第２のバー軸の側方に位置された解放位置との間で、第１のバー軸の方向へ前後に動かされる、花束をアレンジするための花アレンジ装置において、前記底格子と上格子とは、これら格子が互いに重なるようにされる位置にある時に、基本的に垂直に２つの格子に交差する垂直回転軸を中心に互いに回転され得ることを特徴とする花アレンジ装置。  
【請求項２】
前記両格子が回転され得る程度は、複数の角度止め部によって制限され得、また、好ましくは少なくとも１つの角度止め部は、調節可能である、請求項１の花アレンジ装置。
【請求項３】
前記第２の複数のバーは、第１のバー軸に交差する格子位置と第１のバー軸の側方に位置された解放位置との間で第２のバー軸の方向へ前後に動かされ得る、請求項１もしくは２の花アレンジ装置。
【請求項４】
前記底格子と上格子との間の垂直方向の距離は、調節可能である、前記全ての請求項のいずれか１の花アレンジ装置。
【請求項５】
前記底格子の高さは、前記回転軸に沿って調節可能である、請求項３の花アレンジ装置。
【請求項６】
前記高さは、複数の滑動止め部によって制限されて、これら滑動止め部のうち少なくとも１つは好ましくは調節可能である、請求項４もしくは５の花アレンジ装置。
【請求項７】
前記上格子の上方に設けられ、２つのブラケットアーム部を有する支持ブラケットを具備し、これらブラケットアーム部は、上格子の平面上に突出して見て、ほぼ上格子を取り囲むか、このように突出して見えるように上格子を取り囲む位置に少なくとも位置される、前記全ての請求項のいずれか１の花アレンジ装置。
【請求項８】
前記ブラケットアーム部の一方もしくは両方は、可撓性を有するか、取り囲む位置と外部に位置されて取り囲まない位置との間で動き得るように揺動し得る、請求項７の花アレンジ装置。
【請求項９】
前記上格子の上方に設けられた支持フォークを具備し、この支持フォークは、上格子に平行に延びた平行な複数の枝部を有し、底並びに／もしくは上格子を部分的に覆う位置と、底並びに／もしくは上格子の側方に位置された解放位置との間で前記枝部の長手方向へ前後に動かされ得る、請求項１乃至６のいずれか１の花アレンジ装置。
【請求項１０】
前記支持フォークと上格子との間の垂直方向の距離は、調節可能である、請求項９の花アレンジ装置。
【請求項１１】
前記花アレンジ装置は、底格子と上格子との間の垂直方向の距離を長くするのと同時に、支持フォークと上格子との間の垂直方向の距離を短くするように設けられている、請求項１０の花アレンジ装置。
【請求項１２】
前記上格子開口部の数は、底格子開口部の数と等しい、前記全ての請求項のいずれか１の花アレンジ装置。
【請求項１３】
前記底及び上格子開口部は、同じパターンに従って設けられている、前記全ての請求項のいずれか１の花アレンジ装置。
【請求項１４】
前記底格子には、複数の花の茎を特定の高さに固定保持するために花の茎のための支持手段が設けられている、前記全ての請求項のいずれか１の花アレンジ装置。
【請求項１５】
前記支持手段は、底格子の格子開口部に設けられるか、格子開口部の通路を少なくとも囲んでいる、ブラシ、板ばねもしくは切れ目の入ったシート部のような抵抗手段を有し、これら抵抗手段は、格子開口部に挿入された茎を横方向に保持し得る、請求項１４の花アレンジ装置。
【請求項１６】
前記格子を通って延びた花束を中心に、これら格子と、束の周りに延びるバインディング材料の閉じられたループとの間に設けられたバインディング手段を更に具備する、前記全ての請求項のいずれか１の花アレンジ装置。
【請求項１７】
ねじれた花束を作るための前記全ての請求項のうちいずれか１に係わる花アレンジ装置の使用。
【請求項１８】
花並びに／もしくは植物の茎を互いに重ねるように格子開口部に挿入する工程と、
底格子と上格子とを互いに回転させる工程と、
束の茎の周りに延びたバインディング材料の閉じられたループを、底格子と上格子との間、好ましくはこれらの間の垂直方向の距離の真ん中の位置に提供する工程と、
上格子の第１の複数のバーを格子位置から開放位置へと動かし、任意で上格子の第２の複数のバーを格子位置から開放位置へと動かす工程と、
形成され、ねじられた花束を取出す工程とを具備する、前記全ての請求項のいずれか１に係わる装置を使用して花束をアレンジするための方法。
【請求項１９】
前記挿入する工程は、比較的小さな格子のスペーシングによって成され、この比較的小さな格子のスペーシングは、回転させる工程の前に比較的大きな格子のスペーシングまで大きくされる、請求項１８の方法。
【発明の詳細な説明】
【技術分野】
【０００１】
本発明は、上格子開口部を有する上格子と、上格子の垂直方向下方に位置され、底格子開口部を有する底格子とを有し、上格子は、各々に第1のバー軸を有した第1の複数の相互に平行なバーと、第２のバー軸を有した第２の複数の相互に平行なバーとを有し、第１及び第２のバー軸は、互いに交差し、前記第１の複数のバーは、第２のバー軸と交差する格子位置と第２のバー軸の側面に対して位置された解放位置との間で第１のバー軸の方向へと前後に動かされる、花束をアレンジするための花束アレンジ装置に関する。
【背景技術】
【０００２】
このタイプの装置は、ＪＰ−１１／１０３９９０号に開示されている。この日本特許出願は、上格子と底格子とを有したブロック形のフレームを開示している。図２に係わる実施形態では、上格子は、第１の複数のバーと第２の複数のバーとでできている。第１及び第２の複数のバーは、９０°の角度で互いに交差している。第２の複数のバーは、フレーム内に固定されており、第１の複数のバーは、第１の複数のバーの長手方向に押し引きされ得、この後、花束を取り除くために、上格子が第２の複数のバーの長手方向に開かれる。底格子は、上格子の下方の所定の位置にあり、フレーム内に固定されている。
【発明の開示】
【発明が解決しようとする課題】
【０００３】
英語の要約に従うと、この花束アレンジ装置は、花束をアレンジするための補助器具として役立つ。この花束アレンジ装置は、使用するのに非常に実用的なものではなく、いわゆる小麦の束のような、ねじれなどに従う茎を有する花束を作るための、完全に非実用的なものである。
【０００４】
本発明の目的は、特にねじれたタイプの花束、即ち小麦の束のような花束を得るための花アレンジ装置を提供することである。
【０００５】
本発明に関われば、上述された補助手段は、底格子と上格子とが、これらが互いに重なる位置にあるときに基本的に中心で両格子に交差する垂直回転軸を中心に互いに対して回転され得るように果される。
【課題を解決するための手段】
【０００６】
底格子と上格子とは、互いに対して回転され得るので、束（本実施形態においてこの用語はbanquetを指す）を予め形成するように両格子を通して花の茎（本実施形態において茎とは花もしくは枝を有さない茎としても理解される）を挿入し、そして、２つの格子を互いに回転させることによってこの束に小麦のような即ちねじれたタイプの特性を与えることが可能である。このように回転させることによって、格子の真ん中あたりまで茎を締め付ける。このように締め付けた状態で、束をまとめて保持するように束の周りで閉じたループ状にバインディング材料を適用する。その後、第１の複数のバーが、引き離され、形成された小麦のようなねじれたタイプの（花の）束が花アレンジ装置から取出され得る。
【０００７】
花アレンジ装置から束を容易に取出すためには、本発明に従うと、第２の複数のバーが、第１のバー軸に交差する格子位置と第１のバー軸の即に位置される開放位置との間で第２のバー軸の方向に前後に動かされ得ることが効果的である。
【０００８】
特にこのように挿入している間に、両格子を通して茎を容易に挿入するためには、本発明に従って、底格子と上格子との間の垂直方向の距離が調節可能であることが、非常に効果的である。この配置にある底格子のみを傾斜させることによって、束の平面を保持することが可能である。格子内に茎を位置させる前に上格子の底部に近づけるか接触させるように底格子を動かすことによって、底格子の格子開口部を通して茎を方向付けることが、かなり容易になる。全ての茎が両格子内に挿入された後、これら格子を互いに回転させる前に、底格子と上格子との間の垂直方向の距離が調節され、特に大きくされ得る。容易な挿入もしくは互いから完全に引き離されることに加えて、格子からの束の容易な取出しを可能にするように２つの格子の相互の垂直方向への調節が利用され得ることが、明らかである。結局、底格子と上格子とを離すように動かすことによって、底格子を束から自由にすることが可能である。
【０００９】
互いに対する底及び上格子の高さの調節に関しては、本発明に係って、底格子の高さが回転軸に沿って調節可能であると好ましい。そして、上格子の垂直方向の高さは、所定の位置に位置され得る。
【００１０】
本発明に係われば、底格子と上格子とが互いに接触されているときもしくは比較的短い距離だけ離れているときに形成される束の花／茎に適切な横方向支持部（水平方向）を与えることは、特に花アレンジ装置が上格子の上方に支持フォークを有すると、改良され得る。支持フォークは、上格子に平行に延びた平行な枝を有し、底並びに／もしくは上格子を部分的に覆う位置と底並びに／もしくは上格子の側方に位置される解放位置との間で枝の長手方向に前後に動かされ得る。このように、茎／花は、適切な垂直位置に保持され、基本的に個々に支持されるか、互いに並んで位置された２つの平行な枝によって少なくとも縁取られる。支持フォークは、好ましくは底及び上格子を互いに回転させる前に、底並びに／もしくは上格子の側方に位置された開放位置に動かすことによって部分的に覆う位置から引っ込められる。
【００１１】
このように、本発明に係われば、支持フォークと上格子との間の垂直方向の距離が調節可能であると好ましい。これの１つの利点は、例えば、茎がより長く／束がより長い場合に、茎／花のためのより効果的な横方向支持部を提供するために支持フォークがより高いところに設定され得る。更なる利点は、部分的もしくは完全に完成された束が傾斜されているときに支持フォークが傾斜され得ることである。このように、本発明に係われば、花アレンジ装置が、底格子と上格子との間の垂直方向の距離を長くするのと同時に支持フォークと上格子との間の垂直方向の距離を減じるように提供されると、特に効果的である。当分野の当業者には明らかであるが、これは、様々の方法で果され得る。例えば、上格子が所定の高さにあることを想定して底格子を傾斜させることによって同時に支持フォークを傾斜させるように、支持フォークを底格子にロッドアセンブリーによって機械的に連結させることが可能である。しかしながら、このような機械的な連結は、不可欠なものではない。また、同時運動を果させるように制御装置によって制御される異なる駆動部を提供することも可能である。
【００１２】
これは不可欠なものではないが、茎を容易に方向付けできるという点では、上格子開口部の数が底格子開口部の数と等しいと、並びに／もしくは、底及び上格子開口部が同じパターンに従って設けられていると、効果的である。同じパターンに関しては、これが格子開口部の相互の配置に関連しており、格子開口部の数もしくはサイズと関係ないことが指摘される。例えば、底格子が上格子よりも小さいが、これら格子が、同じパターンに従って同じ数の格子開口部を有している場合が考えられる。また、底格子が上格子よりも大きく、２つの格子の格子開口部の数が同じことも考えられる。更に、例えば、上格子が底格子の格子につきより少ないＸの格子開口部を有していたり、またこの逆も、確かに考えられる。ここでは、Ｘは、例えば、２、３、４、５、６、７、８、９もしくは１０であり得る。単純な方向付けという観点では、この配置によって、一般的に、上格子は、より少ない格子開口部と底格子の格子開口部につきＸの格子開口部とを有することになる。
【００１３】
花アレンジ装置の使用は、底及び上格子を、各々が中心格子開口部を有するように組み立てることによって更に簡単にされ得る。中心格子開口部は、特に、相互に重なる。これによって、フラワーアレンジャーは、中心基準茎を中心に据えて作業することができる。例えば、様々の特性が、各々に５個づつの格子を有する底及び上格子を提供することによって果され得る。
【００１４】
２つの格子を通して挿入された、２つの格子を通して所定の挿入位置に形成される束の茎を保持し得るためには、本発明に係われば、底格子に、特定の高さに保持するように茎のための支持手段が設けられると、効果的である。このような支持手段は、例えば、底格子の下方に配置されたプレートを有してよい。このようなプレートは、しかし、欠点を有している。その欠点とは、茎が底部と同じ高さまで延びるように所定の長さまで事前に切断されなくてはならないことである。このため、束の頂部が所定の範囲内の規則正しい形状を有することが好ましい。ここで、本発明に係われば更に好ましいのは、支持手段が、底格子の格子開口部に設けられ、もしくは、格子開口部の通路を少なくとも囲んだ、束、葉のばねもしくはスリットが設けられたシート部などの抵抗手段を有することである。この抵抗手段は、格子開口部を通して挿入された茎を横方向に把持することが可能である。このように、配置して必要であれば花束が形成されたときに同じ高さまで茎の底部を刈り込む際に、花の頂部を所望の高さまで調節することが可能である。特にゴム材料で形成されたような、スリットが設けられたシート部が本実施形態では好ましい。これは、この手段によって、堅い茎及び弱く傷つきやすい茎の両方と共に使える、良い把持部が得られるからである。特に傷つきやすい茎に対する損傷が妨げられる。
【００１５】
本発明に係われば、花アレンジ装置が、締め付けるために、両格子の間のどこかの格子を通って延びる束の周りにバインディング材料の閉じたループを提供するバインディング手段を更に有すると好ましい。このバインディング材料は、例えば、ゴムひも、糸、テープ及び非常に特殊ないわゆる“タイラップ（tie rap）”である。しかし、従来のバインディング装置の隣で花アレンジ装置を使用し、形成され、ねじれた即ち小麦の束を花アレンジ装置から取出し、次に、従来のバインディング装置を用いてこれを締め付けることもまた可能であることが指摘されている。
【００１６】
更なる態様に係われば、本発明は、ねじれた即ち小麦のような花束を製造するための本発明に係わる花アレンジ装置の使用に関する。
【００１７】
更なる態様に係われば、本発明は、本発明に係わる装置を利用して花束を配置するための方法に関する。この方法は、
花並びに／もしくはプラントの茎を、重なるように位置された格子開口部を通して挿入する工程と、
底及び上格子を互いに対して回転させる工程と、
底格子と上格子との間、好ましくはこれらの間の垂直距離の中心点で束の茎を中心に延びるようなバインディング材料の閉じたループを提供する工程と、
上格子の第１の複数のバーを、格子位置から解放位置まで動かし、続いて、任意で上格子の第２の複数のバーを、格子位置から解放位置へと動かす工程と、
形成され、ねじれた花束を取出す工程とを有する。
【００１８】
本発明を、図面に概略的に示された例示的な実施形態を参照しながらより詳しく説明する。
【発明を実施するための最良の形態】
【００１９】
図１を参照すると、本発明に係わる花アレンジ装置１は、フレーム２を有し、このフレーム２は、上格子３を、このフレームに対して所定の垂直方向の位置に支持している。この装置１は、また、底格子４を有する。上格子３は、互いに平行に延び、共通の支持部に固定された、図１には示されていない第１の複数のバー５（本実施形態では７本）でできている。支持部は、ボタン６によってバー５のバー軸の長手方向へと矢印７に従って前後に動かされ得る。上格子３は、ボタン１０によって双頭矢印１１の方向へと前後に動かされ得る共通の支持部９に固定された第２の複数の平行なバー８（本実施形態では７本）を有する。
【００２０】
バー５と７とのバー軸は、例えば９０°に等しくない角度で交差している。この理由は、これによって、花アレンジ装置の構造をよりコンパクトにできることにある。しかしながら、本発明の範囲内では、バー５と７とは、９０°の角度で非常によく交差し得る。
【００２１】
図２は、上格子の図を概略的に示す。図２では、第２の複数のバー８が、いわゆる開放位置に位置されている。この位置で、バー８は、バー５のバー軸と交差していないか、第１の複数のバーのバー５のバー軸の範囲を超えるように位置されている。図２では、第１の複数のバーが、いわゆる格子位置に示され、また、ボタン６を動かすことによって解放位置に位置され得る。明らかにされるように、第２の複数のバー８は、図２の矢印１１とは反対の方向にボタン１０を動かすことによって格子位置に動かされ得る。複数のバー５と８との両方が格子位置にあるとき、これらのバー５と８とは共に格子開口部１２を規定する。
【００２２】
図３を参照すると、この実施形態の底格子４は、格子開口部１３が形成されたディスクで構成されている。各格子開口部１３には、ゴムのような弾性シート１４が詰められている。この弾性シートには、十字形の切断部１５が設けられている。この十字形の切断部１５は、花の茎もしくは枝がシート１４に挿入されるのを可能にする。そして、図４に破線で示されているように、４つの4分円が夫々に、下方に離れるように曲げられ得る縁部１６を形成する。図４では、茎１７もまた破線で示されている。
【００２３】
ディスク４は、ハンドル部１８によって回転シャフト１９を中心に回転され得る（図１及び３の矢印を参照）。この回転は、好ましくは、２つの角度止め部によって制限される（図１の６０及び６１によって概略的に示されている）。回転シャフト１９は、更に入れ子式の構造を有する（図１を参照）。回転シャフト１９の入れ子式の構造は、格子４を格子３の真下もしくはこれと接触するように位置付けるのを可能にする。このように、望ましくは上格子３の格子開口部１２と底格子４の格子開口部１３とを通した茎の挿入、特に茎の方向付けが、適当に楽にされる。よって、この作業の間に茎に適切な支持部を提供しなくても、支持ブラケット２０が与えられる。
【００２４】
ロッド２１に沿って調節可能な高さを有する支持ブラケット２０は、上格子３の上方に設けられる。支持ブラケット２０は、上格子３を囲むように上格子３の平面上に突出して見える２つの角度を付けられたアーム部２２でできている。また、茎は、支持アーム部２２上で支えられ得る。支持ブラケット２０から形成された束の除去を容易にするために、少なくとも１つ及び好ましくは両方のブラケットアーム部２２とが矢印２３に従って外方に揺動し得るのが好ましい。支持ブラケットのアーム部２２は、茎が曲がったり折れるのを防ぐようにねじるために、上格子をねじる前に、底格子が動かされると、ヒンジ６５を中心に後ろに折り曲げられる。外方に揺動させることは、支持アーム部２２が撓むようにすることで果され得るが、支持アーム部２２をヒンジ上に設けることによっても均等に果され得る。
【００２５】
図５乃至８を参照して、本発明に係わる装置が採用される方法を以下に説明する。
【００２６】
これが既に果されている場合、第1の工程は、本発明に係わる花アレンジ装置を開始位置に持っていくことである。この開始位置では、上格子３のバー５と８とが、いわゆる格子位置にあり、底格子４は、入れ子式回転シャフト１９によって上格子から垂直方向に僅かに離れた距離Ｌ１だけ持ち上げられている。底格子の各格子開口部１４が、上格子の格子開口部１２の垂直方向下方にあると好ましい。
【００２７】
次の工程と第２の工程とでは、花の茎１７が、1つずつ、もしくは任意で対で、望ましくは上格子の格子開口部１２と底格子４の格子開口部１３とを通して挿入される。この作業の間、1つ以上の茎が、夫々に1つの格子開口部に設けられることが可能で、また、全ての格子開口部に1つ以上の茎を位置させないようにすることが可能である。未熟なフラワーアレンジャーでも質の高いきれいな束を作れるようにするために、底並びに／もしくは上格子の格子開口部、好ましくは底格子４の格子開口部１３にコード、例えばカラーコードが設けられている場合、本発明は更に効果的である。各コードは、特定のタイプの花を表す。更に、これによって、理想的には可能な限り複数の均等な束を交互に作ることが可能になる。
【００２８】
格子が作られる束のための茎でいっぱいにされているか少なくとも十分にこれを詰められているとき、底格子４は、図６に示された位置に傾斜される。２つの格子が図６に示されているように距離Ｌ２だけ離れている位置にある時に茎１７を両格子に挿入することが非常に容易に考えられる。しかしながら、続く茎の方向付けは、幾分困難である。
【００２９】
次の工程では、支持ブラケット２０が、存在する場合には好ましくは最初に開かれるか、ブラケットアーム部が、格子が互いに回転される前に離れるように揺動する。
【００３０】
次の工程で、図７を参照すると、格子３及び４は、シャフト１９を中心にして互いに回転される。この回転は、調節可能な止め部６０、６１によって決定される角度によって影響を受ける。決定される角度は、底格子４と上格子３との間の距離Ｌ２だけでなく束のタイプにもよる。小麦束としても言及され、ねじれたタイプの束が、このようにして得られる。
【００３１】
続いて、バインディング材料のループ３１が、狭窄部（constriction）３０（図７及び８）の位置で茎１７の周りに位置される。狭窄部３０は、格子３と４との間のおよそ中ほどに位置される。より実際的ではないが、花アレンジ装置１からねじれた束を最初に完全に取り除き、バインディング材料３１のループでこれを締めることが可能であることを指摘したい。
【００３２】
最後の工程では、続いて、これが完全に果されていない場合に、束をねじれた／小麦束のような状態に保持するようにバインディング材料３１のループを狭窄部３０の位置に適用することが可能である。また、望ましい場合は、茎１７の底部を同じ高さまで刈り込むことも可能である。この刈り込みは、本発明に係わる花アレンジ装置内で任意でなされ得る。このために、花アレンジ装置には切断手段が設けられ得る。
【００３３】
人間工学の観点と、作業の明確な観点から見ると、本発明に係わる花アレンジ装置が、フラワーアレンジャーが束の頂部へと斜め下方に見ることができるように、セットアップされると望ましい。これの結果、上格子３がフラワーアレンジャーの胃に近い高さに配置される。
【００３４】
茎の安定した支持のために、特に格子を互いに対して回転させた後に、上格子３のダイアモンド形の格子開口部１２の角部が、回転シャフト１９に対して対向するように接線方向に面した２つの対向する角部が設けられるように方向付けられる。
【００３５】
図９は、図１の変形例を示す。同様の表示と矢印とが夫々に同様に構成要素と動きとを示している。図９の変形例は、支持手段に関して図１の例と異なる。図１の支持ブラケット２０、２２は、図９の支持フォーク８０によって置き換えられている。支持フォーク８０は、複数の相互に平行な葉部（tine）８２が取着された基部８１から成っている。葉部８２は、上格子３と底格子４とに基本的に平行に延びている。フォーク８０の基部８１は、垂直ピン２１に取着されている。この垂直ピン２１は、底並びに／もしくは上格子に対して垂直方向のフォーク８０の高さを調節し得るように、示されていない手段によって、垂直方向に上げ下げされ得る。ピン２１は、フォーク８０が底並びに／もしくは上格子を部分的に覆う位置と、底並びに／もしくは上格子の側面に完全に位置された位置との間で動かされるように、スロット８３を介して水平方向に前後に動かされ得る。アレンジするとき、特に茎／花の位置付けにおいて、フォーク８０が、茎／花のための支持部を提供するように最初に高い位置に位置される。底格子４が垂直方向に傾斜されているときに茎／花がフォーク８０の葉部８２内に閉じ込められるのを防ぐために、フォーク８０がまた傾斜されると非常に効果的である。花／茎の横方向の傾斜部が。傾斜されている間に好ましくは保証されるように、フォーク８０が底格子４と同時に下方に動くと好ましい。フォーク８０と底格子４とが下方に動かされた後に、フォーク８０が矢印８４の方向に後方へと引っ込められる。
【図面の簡単な説明】
【００３６】
【図１】本発明に係わる花アレンジ装置の概略斜視図を示す。
【図２】上格子の詳細部の概略斜視図を示す。
【図３】本発明に係わる花アレンジ装置の底格子の概略平面図を示す。
【図４】本発明に係わる花アレンジ装置の底格子の格子開口部の詳細図を示す。
【図５】本発明に係わる花アレンジ装置を使用する際の１工程を概略的に示す。
【図６】本発明に係わる花アレンジ装置を使用する際の１工程を概略的に示す。
【図７】本発明に係わる花アレンジ装置を使用する際の１工程を概略的に示す。
【図８】本発明に係わる花アレンジ装置を使用する際の１工程を概略的に示す。
【図９】図１の花アレンジ装置の変形例の斜視図を概略的に示す。
【図１】
2005508649.tif 000003
【図２】
2005508649.tif 000004
【図３】
2005508649.tif 000005
【図４】
2005508649.tif 000006
【図５】
2005508649.tif 000007
【図６】
2005508649.tif 000008
【図７】
2005508649.tif 000009
【図８】
2005508649.tif 000010
【図９】
2005508649.tif 000011
【国際調査報告】
2005508649.tif 000012
2005508649.tif 000013